(57)【特許請求の範囲】
【請求項１】
２つのプレスローラ（１４、１６）が設けられ、それらがプレスギャップ（１２）を形成し、第１のプレスローラ（１４）の両端部が第１の軸受台（１８、１９）によって軸承されており、かつ少なくとも一方の端部が軸方向に固定されており、第２のプレスローラ（１６）の両端部が第２の軸受台（２０、２１）によって保持されており、前記第２の軸受台はそれぞれ引っ張り部材（２６）を介して第１の軸受台（１８、１９）に対して固定可能であり、その引っ張り部材（２６）はプレスローラ（１４、１６）の軸方向（２８）の相対移動を可能にするプレス装置において、
第２の軸受台の一方（２０）が第１の軸受台の一方（１８）に軸方向（２８）に摺動しないように固定されており、さらに、第２の軸受台の一方（２０）が、プレスローラ（１４、１６）の軸方向に固定されているが、引っ張り部材（２６）の縦方向には可動のリンク結合（３２）を介して第１の軸受台（１８）に結合されていることを特徴とする、水分を含む帯状の材料を脱水するプレス装置。
【請求項２】
引っ張り部材（２６）がプレスローラ（１４、１６）の軸方向（２８）において曲げ弾性変形可能であって、かつその端部がそれぞれ第１（１８、１９）ないし第２（２０、２１）の軸受台に固定的に挟持されていることを特徴とする請求項１に記載のプレス装置。
【請求項３】
リンク結合（３２）が引っ張り部材（２６）の中央（ａ／２）に作用することを特徴とする請求項１に記載のプレス装置。
【請求項４】
リンク結合（３２）に、ガイド（３６）の内部に垂直方向（３０）に摺動可能に保持されているピン（３４）が設けられていることを特徴とする請求項３に記載のプレス装置。
【請求項５】
軸受台（１８、２０）の駆動側が互いに固定されていることを特徴とする請求項１から４までのいずれか１項に記載のプレス装置。
【請求項６】
引っ張り部材（２６）がほぼＩ字状の断面とその端部にハンマーヘッド（４８、４９）を有する板ばね状の引っ張り棒として形成されており、かつ
ハンマーヘッド（４８、４９）の側面に軸方向（２８）に対して横方向に延びる負荷除去溝（５６）が形成されていることを特徴とする請求項１から５までのいずれか１項に記載のプレス装置。
【発明の詳細な説明】
【０００１】
【産業上の利用分野】
本発明は水分を含む帯状材料の脱水、特に帯状紙の脱水を行うプレス装置であって、２つのプレスローラが設けられ、それらがプレスギャップを形成し、第１のプレスローラはその両端部が第１の軸受台に軸承され、かつ少なくともその一方の端部が固定位置に固定されており、第２のプレスローラはその両端部が第２の軸受台によって軸承されており、第２の軸受台はそれぞれ引っ張り部材を介して第１の軸受台に対して固定可能であって、引っ張り部材は荷重を受けてプレスローラの軸方向にプレスローラの相対移動を可能にするものに関する。
【０００２】
【従来の技術】
この種のプレス装置はＷＯ−Ａ−９２／１７６４１から知られている。
【０００３】
この公知のプレス装置においては、２つのプレスローラは互いに平行に配置されており、その間にプレスギャップが形成されている。第１の軸受台と第２の軸受台は引っ張り部材を介して互いに結合されているので、プレスギャップ内のプレス力の伝達のために、支持部分を必要としない短い力の流れが形成される。従って支持部分は単にプレスの自重だけを伝達すればよく、大きなプレス力を伝達する必要はない。従って簡単、軽量かつ場所をとらない構造が得られる。公知のプレス装置においては引っ張り部材は板ばね状の中央部分と、軸受台の溝内に保持された端部に設けられたハンマーヘッドから形成されている。従って軸受台は引っ張り部材のハンマーヘッドと堅固に結合されている。その場合にプレスローラの軸方向に曲げ弾性を有する引っ張り部材は、駆動の間に大きなプレス力によって、あるいは例えば熱的にもたらされる可能性のある長さの変化によってプレスローラが互いに変位し、かつプレスローラが互いに軸方向にある程度摺動することを可能にする。その場合にプレス装置が負荷を受けていない状態においては、引っ張り部材は全く付勢されず、あるいはきわめてわずかに付勢される。
【０００４】
その場合にさらに２つのプレスローラの一方の端部が軸方向においてその軸受台を介して基台に固定的に結合されている。そのために第１のプレスローラにおいては軸受台は基台と堅固に固定されており、第２のプレスローラの反対側の端部には滑りガイドが設けられており、それによって第２のプレスローラの軸受台が基台に軸方向には固定されるが、垂直方向には移動することができる。
【０００５】
公知のプレス装置においては、駆動中に２つのプレスローラ間でプレス力を伝達する引っ張り部材は著しい曲げ負荷を受ける可能性があり、それによって引っ張り部材の耐性に悪い影響がもたらされることが明らかにされている。
【０００６】
【発明が解決しようとする課題】
それに対して本発明の課題は、駆動中に引っ張り部材が受ける可能性のある最大の曲げ負荷を減少させることができるように改良された冒頭で述べた種類のプレス装置を提供することである。
【０００７】
【課題を解決するための手段】
前述の課題を解決するために、本発明は請求項１〜６のいずれか１項に記載のプレス装置を要旨とする。
【０００８】
【実施例】
前述の課題は本発明によれば、冒頭で述べた種類のプレス装置において第２の軸受台の一方が第１の軸受台の一方に軸方向に摺動しないように固定されていることによって解決される。
【０００９】
本発明の課題はこのようにして完全に解決される。というのは引っ張り部材の曲げ負荷は従来の装置に較べて著しく減少されるからである。
【００１０】
これは大体において、第２のプレスローラが基台に直接軸方向に固定されるのではなく、第１のプレスローラの軸受台において軸方向に案内されていることによって達成される。
【００１１】
それによって、引っ張り部材を介して固定されたプレスローラに作用する軸方向の力によって発生する可能性のある引っ張り部材の曲げ応力が著しく減少される。というのは曲げ応力はもはや片側だけに発生するのではなく、引っ張り部材の長さにわたって分配されるからである。
【００１２】
原則的には、引っ張り部材のそれぞれの端部を、リンクを介して第１ないし第２の軸受台と結合することが可能であるので、全体として、４本リンクが形成される。
【００１３】
しかし本発明の好ましい実施例においては、引っ張り部材はプレスローラの軸方向に曲げ弾性変形可能であって、かつその端部はそれぞれ第１ないし第２の軸受台に堅固に挟持されている。
【００１４】
それによって特に簡単かつスペースをとらない構造が得られる。というのはそれ以上のリンク結合を省くことができるからである。
【００１５】
本発明の好ましい実施例においては、第２の軸受台の一方が、プレスローラの軸方向に固定されているが引っ張り部材の縦方向には可動のリンク結合を介して第１の軸受台に結合されている。
【００１６】
このようにして第２の軸受台の第１の軸受台への軸方向の固定がきわめて容易に実現される。
【００１７】
本発明の好ましい実施例においては、リンク結合は引っ張り部材の縦の延びの中央に作用する。
【００１８】
この手段によって、引っ張り部材の最大の曲げ負荷がさらに減少されるという利点が得られる。というのは引っ張り部材の固定挟持された各端部には半分の曲げ応力しか発生できないからである。それによって引っ張り部材の寸法が与えられている場合に、プレスギャップ内で負荷を受けてプレスローラの変位がより大きくなっても耐えることができる。というのはそれによってもたらされる曲げ負荷が引っ張り部材の両端部に均一に分配されるからである。
【００１９】
リンク結合にピンが設けられ、それがガイド内部に垂直方向に摺動可能に保持されている場合に、リンク結合を特に簡単に形成することができる。
【００２０】
本発明の他の実施例によれば、軸受台の駆動側が互いに固定される。
【００２１】
この手段によって、２つのプレスローラの一方の上方で案内されるプレスジャケットを交換する場合、あるいはプレスギャップを通して案内されるエンドレスのフェルトバンドを交換する場合にリンク結合がじゃまにならないという利点が得られる。
【００２２】
本発明の他の好ましい実施例によれば、引っ張り部材はほぼＩ字状の断面とその端部にハンマーヘッドを有する板ばね状の引っ張り棒として形成されており、ハンマーヘッドの側面に軸方向に対して横方向に延びる負荷除去溝が形成されている。
【００２３】
ＷＯ−Ａ−９２／１７６４１に示すように、ほぼＩ字状の断面とその端部にハンマーヘッドを有する板ばね状の引っ張り棒を形成することは、原則的には知られている。しかしハンマーヘッドの側面にさらに軸方向に対して横方向に延びる負荷除去溝を形成することによってハンマーヘッドにおける面圧縮が外側から内側へきわめてやさしく増大するようになるので、ハンマーヘッドにおける切欠き応力が減少され、それによって長時間駆動においても引っ張り部材の強度が著しく向上する。
【００２４】
なお、上述および後述する特徴はそれぞれ記載の組合せにおいてだけでなく、他の組合せにおいても、あるいは単独でも、本発明の枠を逸脱することなく用いることができることは言うまでもないことである。
【００２５】
図示例
以下、図面を参照して本発明の実施例を詳細に説明する。
【００２６】
図１においては、本発明によるプレス装置は全体が符号１０で示されている。
【００２７】
プレス装置１０には、いわゆる変位調節ローラとして形成された第１のプレスローラ１４と、第１のプレスローラ１４上に配置され、かつそれに対して平行に配置された第２のプレスローラ１６が設けられており、第２のプレスローラは油圧的に押圧可能なプレスシューを有するシュープレスローラとして形成されている。変位調節ローラとシュープレスローラの構造は基本的に公知であって、これについては例えばＤＥ４１２３１１５Ａ１とＤＥ９２０３３９５Ｕ１を参照することができる。
【００２８】
第１のプレスローラ１４と、その上に公知の方法でプレスジャケット１７が案内されている第２のプレスローラ１６間にプレスギャップ１２が形成され、このプレスギャップを通して脱水すべき紙の帯が通常少なくとも１つのフェルト帯と共に案内されている（図示せず）。
【００２９】
図示の場合においては第１のプレスローラ１４の両端部は第１の軸受２２、２３によって軸承されており、その軸受ハウジングは軸受台１８、１９として形成されており、それらは基礎４２上に固定的に結合された基台４４、４５上に固定されている。
【００３０】
第１のプレスローラ１４は駆動スリーブ４６と駆動側３８に介在するギヤを介して駆動される。
【００３１】
第１のプレスローラ１４の第１の駆動側の軸受２２は固定軸受として形成されており、第１のプレスローラ１４の軸受ピン５２の摺動を許可しないが、第１のプレスローラ１４のガイド側４０の第２の軸受２３はフリー軸受として形成されており、これは軸受２３内で軸受ピン５３の摺動を可能にし、それによって熱に基づく長さ変化などを補償することができる。正確に言うと第２の軸受２３はＤＥ４２１０６８５Ｃ１によれば台部材を介して基台４４と結合されており、軸受２３と基台間の軸方向の摺動が可能にされている（図示せず）。
【００３２】
第２のプレスローラ１６の両端部には固定の軸受ピン５４、５５が設けられており、これらは駆動側３８ないしはガイド側４０において第２の軸受台２０ないし２１と堅固に結合されている。第２のプレスローラ１６のプレスジャケット１７は公知のようにして第２の軸受２４、２５によって固定のヨーク１５上に軸承されており、ヨークの両端部は第２の軸受台２０、２１と固定結合された第２の軸受ピン５４、５５を形成する。
【００３３】
第２の軸受台２０、２１は第２のプレスローラ１６の各端部において引っ張り部材２６によってその下にある第１の軸受台１８、１９にそれぞれ対で固定されている。
【００３４】
引っ張り部材２６は通常の場合には全く、あるいはわずかな付勢しか受けておらず、これらは第２のプレスローラ１６のプレスシューが第１のプレスローラ１４に対して押圧された場合に負荷を受けてその負荷を吸収して、それを直接第１の軸受台１８、１９へ伝達する。それによって負荷を受けると第２の軸受台２０、２１から引っ張り部材２６を介して第１の軸受台１８、１９への直接の力の流れが保証される。
【００３５】
負荷を受けるとさらに、第１のプレスローラ１４と第２のプレスローラ１６間で原則的に軸方向の摺動が可能になる。
【００３６】
本発明によれば第２の駆動側の軸受台２０はリンク結合３２を介して第１の駆動側の軸受台１８と結合されている。このリンク結合は最も簡単な場合にはアーム３５から形成され、アームは引っ張り部材２６の縦方向の延びの中央ａ／２に作用し、かつその端部にはピン３４が垂直方向３０に延びるガイド内部で回転可能に保持されており、かつ垂直方向３０に摺動することができる。ガイド３６は第１の駆動側の軸受台１８と結合されている。従って第２の駆動側の軸受台２０はその下にある第１の軸受台１８に軸方向に固定されているが、しかし例えば引っ張り部材２６が負荷を受けて伸長すると、垂直方向に移動することができる。
【００３７】
第２のプレスローラ１６をリンク結合３２を介して駆動側３８において第１の軸受台１８に結合することによって、引っ張り部材２６に作用する曲げ応力が減少し、リンク結合３２を引っ張り部材２６の縦の延びの中央に配置する場合には引っ張り部材２６の端部に均一に分配される。
【００３８】
この種の軸方向の力は、例えばホース結合によって、あるいは第２のプレスローラ１６のプレスジャケットが均一でないことによって、もたらされる可能性がある。
【００３９】
引っ張り部材２６の曲げ応力は上述のリンク結合３２によって減少されるので、引っ張り部材２６の寸法が同じ場合には負荷を受けてプレスローラのより大きい変位が可能となり、引っ張り部材２６が過度の曲げ応力を受けることはない。
【００４０】
引っ張り部材２６の両端部にはハンマーヘッド４８、４９が設けられており、かつその下方のハンマーヘッド４８は第１の軸受台１８、１９のＴ字状の溝５０内に保持されており、上方のハンマーヘッド４９は第２の軸受台２０、２１の単純な溝５１内に嵌入する。
【００４１】
引っ張り部材２６の端部にできるだけていねいに曲げ応力を導入することを保証し、かつ切欠き応力の発生を排除するために、ハンマーヘッド４８ないし４９の端面７０には半円状の断面を有する負荷除去溝５６が形成されており、これは端面７０において軸方向２８に対して横方向に延びている。この負荷除去溝５６によって、軸受台１８ないし２０の対応する端面６０に添接するハンマーヘッド４８ないし４９の端面５８を介してきわめてていねいな力の導入が行われる。
【００４２】
引っ張り部材２６が溝５０ないし５１内部で軸方向２８に摺動しないように固定するために、引っ張り部材２６のハンマーヘッド４８ないし４９のすぐ近傍には補強隆起６４が形成されており、補強隆起の端面が溝５０ないし５１の側面に当接する。補強隆起６４とハンマーヘッド４８ないし４９の始端との間には断面が半円状の切欠き６２が形成されている。補強隆起６４のハンマーヘッド４８ないし４９とは反対の側は湾曲した部分６８を介して引っ張り部材２６の中央領域６６へ移行している。
【００４３】
全体としてこの構造とこの固定によってハンマーヘッド４８ないし４９を介して引っ張り部材２６の細長い中央領域６６への曲げ応力のていねいな導入が可能となる。
【００４４】
図１に示す「浮動の」シュープレスローラを有するプレス装置１０の構成の他に、本発明の枠を逸脱することなく多数の他の構成が可能であることは言うまでもないことである。
【００４５】
すなわち第１のプレスローラ１４を変位調節ローラとしてでなく中実ローラとして形成することができる。その場合には両プレスローラ１４、１６の変位が小さいことによってプレス力が小さくなるので、場合によっては両軸受台１８、２０間のリンク結合３２を軸受台の他の箇所に、従って引っ張り部材２６の中心を外れて作用するようにすることができ、それによって簡単な構成が可能になる。というのは変位が小さいことによって曲げ負荷が当然小さくなるからである。
【００４６】
さらに、シュープレスローラが下に来るように配置し、他のローラをその上で「浮動」する相手側ローラとすることも当然考えられる。その場合にもリンク結合３２を引っ張り部材２６の縦の延びの中央に配置することが推奨される。
【００４７】
相手側ローラが変位調節ローラとしてでなく中実ローラとして形成されている場合も同様なことが行われる。
【００４８】
【発明の効果】
以上の説明から明らかなように、本発明によれば駆動中に引っ張り部材が受ける可能性のある最大の曲げ負荷を減少させることができるように改良されたプレス装置を提供する。
【図面の簡単な説明】
【図１】本発明によるプレス装置の著しく簡略化した概略側面図である。
【図２】本発明による引っ張り部材の、軸受ハウジングのＴ字状溝内に嵌入するハンマーヘッドの領域を拡大して示す断面図である。
【符号の説明】
１０      プレス装置
１２      プレスギャップ
１４      第１のプレスローラ
１６      第２のプレスローラ
１７      プレスジャケット
１８、１９      第１の軸受台
２０、２１      第２の軸受台
２２〜２５      軸受
２６      引っ張り部材
２８      軸方向
３０      垂直方向
３２      リンク結合
３４      ピン
３５      アーム
３６      ガイド
３８      駆動側
４０      ガイド側
４２      基礎
４４、４５      基台
４６      駆動スリーブ
４８、４９      ハンマーヘッド
５０、５１      溝
５２〜５５      軸受ピン
５６      負荷除去溝
５８      端面
６０      端面
６２      切欠き
６４      補強隆起
６６      中央領域
６８      湾曲した部分
７０      端面
【図１】
0003825065.tif 000002
【図２】
0003825065.tif 000003